(57)【要約】【課題】熟練した技能及び時間を要することなく、ガイド部材を竿杆に強固に取付け可能な釣竿及びその製造方法を提供すること。【解決手段】釣竿１は、竿杆７の外周面に固定される脚部１１を備え、釣り糸をガイドするガイド部材９と、第１の面部２２と、第２の面部２３とを備え、第１の面部２２から第２の面部２３まで貫通する第１の貫通孔２５が形成された板状部材と、ガイド部材９の脚部１１を竿杆７の内周方向に押圧した状態で竿杆７の外周面に巻回される帯状部材３１とを備える。帯状部材３１は、板状部材２１に固定される第１の端部３２と、帯状部材３１を竿杆７の外周面に巻回した後に第１の貫通孔２５に第２の面部２３側から第１の面部２２側へ挿通され、貫通孔２５より第２の面部２３側への移動が規制されている第２の端部３３とを備える。【選択図】図２
2012029606.tif 000002
【特許請求の範囲】
【請求項１】
竿杆と、
前記竿杆の外周面に固定される脚部を備え、釣り糸をガイドするガイド部材と、
第１の面部と、第２の面部とを備え、前記第１の面部から前記第２の面部まで貫通する貫通孔が形成された板状部材と、
前記ガイド部材の前記脚部を前記竿杆の内周方向に押圧した状態で前記竿杆の前記外周面に巻回される帯状部材であって、前記板状部材に固定される第１の端部と、前記帯状部材を前記竿杆の前記外周面に巻回した後に前記貫通孔に第２の面部側から第１の面部側へ挿通され、前記貫通孔より前記第２の面部側への移動が規制されている第２の端部とを備える帯状部材と、
を具備することを特徴とする釣竿。
【請求項２】
前記帯状部材は、前記竿杆の外周方向から前記内周方向に押圧する押圧部を備えることを特徴とする請求項１に記載の釣竿。
【請求項３】
前記板状部材は、前記ガイド部材の前記脚部の外側面に配置され、前記帯状部材の前記押圧部での押圧により前記ガイド部材の前記脚部を前記竿杆の前記内周方向に押圧する板状部材を含むことを特徴とする請求項２に記載の釣竿。
【請求項４】
前記第２の端部は、前記帯状部材の他の部分より厚さが厚い肉厚部を備えることを特徴とする請求項１乃至請求項３のいずれか１に記載の釣竿。
【請求項５】
前記帯状部材の外周面に被覆される合成樹脂層をさらに具備することを特徴とする請求項１乃至請求項４のいずれか１に記載の釣竿。
【請求項６】
ガイド部材の脚部を竿杆の外周面に配置することと、
第１の面部及び第２の面部を備え、前記第１の面部から前記第２の面部まで貫通する貫通孔が形成された板状部材に、帯状部材の第１の端部となる帯状部材準備体の一端を固定することと、
前記ガイド部材の前記脚部を覆う状態に、前記帯状部材準備体を前記竿杆の前記外周面に巻回することと、
前記帯状部材準備体の他端を前記板状部材の前記貫通孔に第２の面部側から第１の面部側に挿通することと、
前記帯状部材準備体を前記帯状部材と切除部とに切断し、前記貫通孔より前記第２の面側への移動が規制される状態に、前記帯状部材の第２の端部を形成することと、
を具備することを特徴とする釣竿の製造方法。
【請求項７】
前記貫通孔に挿通された前記帯状部材準備体の前記他端を前記板状部材の前記第１の面部側に引張り、前記帯状部材準備体により前記ガイド部材の前記脚部を前記竿杆の前記内周方向に押圧することをさらに具備することを特徴とする請求項６に記載の釣竿の製造方法。
【発明の詳細な説明】
【技術分野】
【０００１】
本発明は、魚釣りに用いられる釣竿及びその製造方法に関する。
【背景技術】
【０００２】
一般に釣竿は、竿杆と、竿杆に取り付けられ、釣り糸をガイドするガイド部材とを備える。ガイド部材は、竿杆の外周面に固定される板状の脚部と、脚部から竿杆の外周方向に突設される環状部とを備える。環状部の内周方向側にはガイドリングが固定され、ガイドリングの内周面により、釣り糸が挿通される挿通孔が規定されている。脚部は竿杆の外周面に釣竿の長手方向に沿って設けられている。そして、脚部の外側を覆う状態に、竿杆の外周面を糸巻きにする。これより、脚部が竿杆に固定され、ガイド部材が竿杆に取り付けられる。
【０００３】
特許文献１には、ガイド部材の脚部の外側を覆う状態に、竿杆の外周面にテープが巻回された釣竿が開示されている。この釣竿では、巻回されたテープの端同士が加熱により接合されている。これにより、脚部が竿杆に固定され、ガイド部材が竿杆に取り付けられる。
【先行技術文献】
【特許文献】
【０００４】
【特許文献１】特開昭５０−４０３９２号公報
【発明の概要】
【発明が解決しようとする課題】
【０００５】
糸巻きによりガイド部材を竿杆に取り付ける際、糸が撓むことがあるため、糸巻きの作業には熟練した技能が必要となり、時間を要する。また、巻き付けた糸の端の処理にも、熟練した技能が必要である。
【０００６】
また、上記特許文献１の釣竿では、テープの端同士が加熱により接合されるため、接合部での強度が低下する。このため、ガイド部材をテープにより竿杆に強固に取り付けることは、難しい。
【０００７】
本発明は上記課題に着目してなされたものであり、その目的とするところは、熟練した技能及び時間を要することなく、ガイド部材を竿杆に強固に取付け可能な釣竿及びその製造方法を提供することにある。
【課題を解決するための手段】
【０００８】
上記目的を達成するため、本発明のある態様では、竿杆と、前記竿杆の外周面に固定される脚部を備え、釣り糸をガイドするガイド部材と、第１の面部と、第２の面部とを備え、前記第１の面部から前記第２の面部まで貫通する貫通孔が形成された板状部材と、前記ガイド部材の前記脚部を前記竿杆の内周方向に押圧した状態で前記竿杆の前記外周面に巻回される帯状部材であって、前記板状部材に固定される第１の端部と、前記帯状部材を前記竿杆の前記外周面に巻回した後に前記貫通孔に第２の面部側から第１の面部側へ挿通され、前記貫通孔より前記第２の面部側への移動が規制されている第２の端部とを備える帯状部材と、を具備することを特徴とする釣竿を提供する。
【０００９】
この釣竿では、前記帯状部材は、前記竿杆の外周方向から前記内周方向に押圧する押圧部を備えることが好ましい。  
また、前記板状部材は、前記ガイド部材の前記脚部の外側面に配置され、前記帯状部材の前記押圧部での押圧により前記ガイド部材の前記脚部を前記竿杆の前記内周方向に押圧する板状部材を含むことが好ましい。  
また、前記第２の端部は、前記帯状部材の他の部分より厚さが厚い肉厚部を備えることが好ましい。  
また、この釣竿は、前記帯状部材の外周面に被覆される合成樹脂層をさらに具備することが好ましい。
【００１０】
本発明の別のある態様では、ガイド部材の脚部を竿杆の外周面に配置することと、第１の面部及び第２の面部を備え、前記第１の面部から前記第２の面部まで貫通する貫通孔が形成された板状部材に、帯状部材の第１の端部となる帯状部材準備体の一端を固定することと、前記ガイド部材の前記脚部を覆う状態に、前記帯状部材準備体を前記竿杆の前記外周面に巻回することと、前記帯状部材準備体の他端を前記板状部材の前記貫通孔に第２の面部側から第１の面部側に挿通することと、前記帯状部材準備体を前記帯状部材と切除部とに切断し、前記貫通孔より前記第２の面側への移動が規制される状態に、前記帯状部材の第２の端部を形成することと、を具備することを特徴とする釣竿の製造方法を提供する。  
この釣竿の製造方法は、前記貫通孔に挿通された前記帯状部材準備体の前記他端を前記板状部材の前記第１の面部側に引張り、前記帯状部材準備体により前記ガイド部材の前記脚部を前記竿杆の前記内周方向に押圧することをさらに具備することが好ましい。
【発明の効果】
【００１１】
帯状部材の第１の端部が板状部材に固定され、貫通孔より第２の面部側への第２の端部の移動が規制されるため、ガイド部材の脚部を竿杆の内周方向に押圧する状態で帯状部材が保持される。これにより、ガイド部材を竿杆に強固に取り付けることができる。  
また、押圧部を設けることにより、板状部材が帯状部材により竿杆の内周方向に押圧され、板状部材が固定される。このため、ガイド部材の脚部を竿杆の内周方向に押圧する状態で帯状部材がより強固に保持される。これにより、ガイド部材を竿杆により強固に取り付けることができる。  
また、板状部材がガイド部材の脚部の外側面上に配置されるため、ガイド部材の脚部の外側面が帯状部材の内周面と接触する場合に比べ、ガイド部材の脚部が竿杆の内周方向により大きい力で押圧される。このため、ガイド部材を竿杆により強固に取り付けることができる。  
また、合成樹脂層を設けることにより、貫通孔より第２の面部側への第２の端部の移動がより確実に規制されている。これにより、ガイド部材の脚部を竿杆の内周方向に押圧する状態で帯状部材をより確実に保持することができる。したがって、ガイド部材を竿杆により強固に取り付けることができる。  
さらに、板状部材及び帯状部材を用いて、ガイド部材が竿杆の外周面に取り付けられる。したがって、糸巻きにより取り付ける場合と異なり、熟練した技能を必要とすることなく、容易にガイド部材を竿杆に取り付けることができる。
【図面の簡単な説明】
【００１２】
【図１】本発明の第１の実施形態に係る釣竿を示す正面図。
【図２】第１の実施形態に係る釣竿の、ガイド部材の竿杆への取付け構造を示す斜視図。
【図３】第１の実施形態に係る釣竿の、ガイド部材の竿杆への取付け方法を説明する斜視図。
【図４】第１の実施形態に係る釣竿の、ガイド部材の竿杆への取付け方法を説明する断面図。
【図５】第１の実施形態に係る釣竿の、ガイド部材の竿杆に取り付けられた状態を示す断面図。
【図６】第１の実施形態の第１の変形例に係る釣竿の、ガイド部材の竿杆への取付け構造を示す断面図。
【図７】第１の実施形態の第２の変形例に係る釣竿の、ガイド部材の竿杆への取付け構造を示す斜視図。
【図８】第１の実施形態の第２の変形例に係る釣竿の、ガイド部材の竿杆への取付け構造を示す断面図。
【図９】第１の実施形態の第３の変形例に係る釣竿の、ガイド部材の竿杆への取付け構造を示す斜視図。
【図１０】第１の実施形態の第３の変形例に係る釣竿の、ガイド部材の竿杆への取付け構造を示す断面図。
【図１１】本発明の第２の実施形態に係る釣竿の、ガイド部材の竿杆への取付け構造を示す斜視図。
【図１２】第２の実施形態に係る釣竿の、ガイド部材の竿杆への取付け構造を示す断面図。
【図１３】本発明の第３の実施形態に係る釣竿の、ガイド部材の竿杆への取付け構造を示す斜視図。
【図１４】第３の実施形態に係る釣竿の、ガイド部材の竿杆への取付け構造を示す断面図。
【発明を実施するための形態】
【００１３】
（第１の実施形態）  
本発明の第１の実施形態について、図１乃至図５を参照して説明する。図１は、本実施形態の釣竿１を示す図である。図１に示すように、釣竿１は、先端と基端とを有し、長手方向に延設されている。釣竿１は、基端部に設けられるグリップ３と、グリップ３より先端方向側に設けられるリール取付け部５と、リール取付け部５より先端方向側に設けられる竿杆７とを備える。釣り人はグリップ３を握持して、釣りを行う。また、リール取付け部５には、リール（図示しない）が取り付けられる。竿杆７には、金属、合成樹脂等から形成される複数のガイド部材９が取り付けられている。ガイド部材９は、長手方向に並設されている。ガイド部材９により、リールから延出される釣り糸（図示しない）がガイドされる。
【００１４】
図２は、ガイド部材９の竿杆７への取付け構造を示す図である。図２に示すように、ガイド部材９は、竿杆７の外周面に固定される板状の脚部１１と、脚部１１から竿杆７の外周方向に突出する環状部１２とを備える。脚部１１は、長手方向に延設されている。脚部１１と環状部１２との間には、環状部１２を脚部１１に対して竿杆７の外周方向に屈曲させる屈曲部１３が設けられ、屈曲部１３により環状部１２が竿杆７から立ち上がる状態に竿杆７から離して設けられている。環状部１２は内周面と、外周面とを有し、環状部１２の内周面にはガイドリング１５が固定されている。ガイドリング１５の内周面により、釣り糸が挿通される挿通孔１７が規定されている。
【００１５】
また、竿杆７の外周面上には、板状部材２１がガイド部材９と同一の数だけ設けられている。それぞれの板状部材２１は、対応するガイド部材９から竿杆７の周方向に離れて配置されている。板状部材２１は、合成樹脂、金属等から形成され、可撓性を有する。板状部材２１は、竿杆７の外周方向を向く第１の面部２２と、竿杆７の内周方向を向く第２の面部２３とを備え、長手方向に延設されている。板状部材２１には、第１の面部２２から第２の面部２３まで貫通する第１の貫通孔２５が形成されている。また、板状部材２１には、第１の面部２２から第２の面部２３まで貫通する第２の貫通孔２６が、竿杆７の周方向について第１の貫通孔２５に並設した状態で形成されている。第１の貫通孔２５及び第２の貫通孔２６は、長手方向に沿って長孔状に形成されている。
【００１６】
竿杆７の外周面には、帯状部材３１がガイド部材９と同一の数だけ設けられている。それぞれの帯状部材３１は、対応するガイド部材９の脚部１１を覆う状態で、竿杆７の外周面に巻回されている。この際、ガイド部材９の脚部１１は、帯状部材３１により竿杆７の内周方向に押圧されている。これにより、ガイド部材９の脚部１１が、竿杆７の外周面に固定される。帯状部材３１は、合成樹脂シート、合成樹脂繊維、ケブラー繊維等の織布から形成されている。帯状部材３１は、巻始め方向側の端部である第１の端部３２と、巻終り方向側の端部である第２の端部３３とを備える。
【００１７】
第１の端部３２は、第１の貫通孔２５に第１の面部２２側から第２の面部２３側（竿杆７の外周方向から内周方向）に挿通され、板状部材２１の第２の面部２３と竿杆７の外周面との間で挟持される巻始め側挟持部３５を備える。また、巻始め側挟持部３５は、帯状部材３１の内周面に止着される止着部３７を備える。巻始め側挟持部３５及び止着部３７により、帯状部材３１の第１の端部３２が、板状部材２１に固定されている。
【００１８】
第２の端部３３は、帯状部材３１を竿杆７の外周面に巻回した後、第２の貫通孔２６に第１の面部２２側から第２の面部２３側に挿通され、第１の貫通孔２５に第２の面部２３側から第１の面部２２側（竿杆７の内周方向から外周方向）に挿通される。第２の端部３３は、帯状部材３１の他の部分より厚さが厚い厚肉部３９を備える。厚肉部３９により、第１の貫通孔２５より第２の面部２３側への第２の端部３３の移動が規制されている。
【００１９】
また、帯状部材３１は、巻終り方向側に第２の端部３３が連続し、板状部材２１の第２の面部２３と竿杆７の外周面との間で挟持される巻終り側挟持部４１を備える。巻終り側挟持部４１は、帯状部材３１を竿杆７の外周面に巻回した後、第２の貫通孔２６に第１の面部２２側から第２の面部２３側に挿通される。巻始め側挟持部３５、止着部３７、厚肉部３９及び巻終り側挟持部４１を設けることにより、ガイド部材９の脚部１１を竿杆７の内周方向に押圧する状態で帯状部材３１が保持される。これにより、ガイド部材９を竿杆７に強固に取り付けることができる。
【００２０】
帯状部材３１は、巻始め方向側に第１の端部３２が連続し、板状部材２１を竿杆７の外周方向から内周方向に押圧する巻始め側押圧部４３を備える。また、帯状部材３１は、巻終り方向側に巻終り側挟持部４１が連続し、板状部材２１を竿杆７の外周方向から内周方向に押圧する巻終り側押圧部４５を備える。巻始め側押圧部４３及び巻終り側押圧部４５を設けることにより、板状部材２１が帯状部材３１により竿杆７の内周方向に押圧され、板状部材２１が竿杆７の外周面に移動が規制された状態で保持される。このように板状部材２１が保持されることにより、ガイド部材９の脚部１１を竿杆７の内周方向に押圧する状態で帯状部材３１がより強固に保持される。これにより、ガイド部材９を竿杆７により強固に取り付けることができる。
【００２１】
図３乃至図５は、ガイド部材９の竿杆７への取付け方法を示す図である。図３に示すように、ガイド部材９を竿杆７に取り付ける際は、まず、ガイド部材９の脚部１１を竿杆７の外周面上に配置する。そして、板状部材２１を、ガイド部材９から竿杆７の周方向に離れた状態で、竿杆７の外周面上に配置する。そして、帯状部材準備体３１Ａを竿杆７の外周面に巻回する。帯状部材準備体３１Ａの一部により帯状部材３１が形成される。帯状部材準備体３１Ａの帯状部材３１を形成する部分以外の部分は、ガイド部材９を竿杆７の外周面に取り付けた後に切除される切除部３１Ｂとなっている（図５参照）。
【００２２】
帯状部材準備体３１Ａの一端は、帯状部材３１の第１の端部３２となる。図３及び図４に示すように、帯状部材準備体３１Ａを巻回する際には、まず、第１の端部３２を板状部材２１の第１の貫通孔２５に、第１の面部２２側から第２の面部２３側へ挿通する。これにより、ガイド部材９が竿杆７に取り付けられた際に板状部材２１の第２の面部２３と竿杆７の外周面との間で挟持される巻始め側挟持部３５が、形成される。そして、巻始め側挟持部３５を帯状部材準備体３１Ａ（帯状部材３１）の内周面に止着し、止着部３７を形成する。これにより、第１の端部３２が板状部材２１に固定される。この際、ガイド部材９が竿杆７に取り付けられた際に板状部材２１を竿杆７の外周方向から内周方向に押圧する巻始め側押圧部４３が、で形成される。
【００２３】
そして、板状部材２１を手等で保持し、ガイド部材９の脚部１１を覆う状態に、帯状部材準備体３１Ａを竿杆７の外周面に巻回する。そして、帯状部材準備体３１Ａの他端を、第２の貫通孔２６に第１の面部２２側から第２の面部２３側へ挿通する。これにより、ガイド部材９が竿杆７に取り付けられた際に板状部材２１の第２の面部２３と竿杆７の外周面との間で挟持される巻終り側挟持部４１が、形成される。そして、帯状部材準備体３１Ａの他端を、第１の貫通孔２５に第２の面部２３側から第１の面部２２側へ挿通する。これにより、ガイド部材９が竿杆７に取り付けられた際に板状部材２１を竿杆７の外周方向から内周方向に押圧する巻終り側押圧部４５が、で形成される。
【００２４】
この状態で、帯状部材準備体３１Ａの他端を、板状部材２１の第１の面部２２側（竿杆７の外周方向）に引張る（図４の矢印Ａ）。これにより、帯状部材準備体３１Ａ（帯状部材３１）が、竿杆７に張った状態で巻回され、ガイド部材９の脚部１１及び竿杆７の外周面を竿杆７の内周方向に押圧する（図４の矢印Ｂ）。このため、ガイド部材９の脚部１１が竿杆７の外周面に移動が規制された状態で保持され、ガイド部材９が竿杆７に取り付けられる。この際、図５に示すように、巻始め側押圧部４３及び巻終り側押圧部４５により、板状部材２１が竿杆７の外周方向から内周方向に押圧され、板状部材２１が竿杆７の外周面に保持される。また、巻始め側挟持部３５及び巻終り側挟持部４１が、板状部材２１の第２の面部２３と竿杆７の外周面との間で挟持されている。
【００２５】
そして、帯状部材準備体３１Ａを帯状部材３１と切除部３１Ｂとに切断する。この際、帯状部材３１の切断された端部により、第２の端部３３が形成される。帯状部材準備体３１Ａの切断は、加熱部材４７を用いて加熱された状態で行われる。帯状部材３１は合成樹脂シート等から形成されるため、加熱された部分では樹脂が溶ける。そして、溶けた樹脂が硬化した後、第２の端部３３に帯状部材３１の他の部分より厚さが厚い厚肉部３９が形成される。厚肉部３９により、第１の貫通孔２５より第２の面部２３側への第２の端部３３の移動が規制され、抜け止めされる。この際、第１の端部３２が板状部材２１に固定され、第２の端部３３の第１の貫通孔２５より第２の面部２３側への第２の端部３３の移動が規制されるため、ガイド部材９の脚部１１を竿杆７の内周方向に押圧する状態で帯状部材３１が保持される。
【００２６】
以上のように、板状部材２１及び帯状部材３１を用いて、ガイド部材９が竿杆７の外周面に取り付けられる。したがって、糸巻きにより取り付ける場合と異なり、熟練した技能を必要とすることなく、容易にガイド部材９を竿杆７に取り付けることができる。
【００２７】
（第１の実施形態の変形例）  
次に、第１の実施形態の変形例について図６乃至図１０を参照して説明する。なお、第１の実施形態と同一の部分及び同一の機能を有する部分については同一の符号を付して、その説明は省略する。
【００２８】
図６は、第１の実施形態の第１の変形例の釣竿１のガイド部材９の竿杆７への取付け構造を示す図である。図６に示すように、本変形例では、帯状部材３１の外周面にエポキシ、ウレタン等の合成樹脂層４９が被覆されている。合成樹脂層４９を設けることにより、第１の貫通孔２５より第２の面部２３側への第２の端部３３の移動がより確実に規制されている。これにより、ガイド部材９の脚部１１を竿杆７の内周方向に押圧する状態で帯状部材３１をより確実に保持することができる。したがって、ガイド部材９を竿杆７により強固に取り付けることができる。
【００２９】
また、板状部材２１は、竿杆７の周方向について、ガイド部材９の脚部１１が取り付けられる位置の、反対側に位置している。このため、ガイド部材９の挿通孔１７に挿通される釣り糸が、板状部材２１と干渉し難い。
【００３０】
また、合成樹脂層４９は、帯状部材３１を竿杆７の内周方向に押圧している。このため、帯状部材３１が、竿杆７の外周面と合成樹脂層４９との間で挟持される。これにより、ガイド部材９の脚部１１を竿杆７の内周方向に押圧する状態で帯状部材３１をより確実に保持することができる。
【００３１】
なお、合成樹脂層４９では、帯状部材３１の外周面に取り付ける際に、加熱により樹脂が溶け、帯状部材３１の内部に流入してもよい。また、合成樹脂層４９の樹脂が溶けて帯状部材３１より竿杆７の内周方向側に流入し、流入した樹脂により帯状部材３１を竿杆７及びガイド部材９の脚部１１に接着してもよい。さらに、合成樹脂層４９の樹脂が溶けて板状部材２１より竿杆７の内周方向側に流入し、流入した樹脂により板状部材２１を竿杆７に接着してもよい。
【００３２】
図７及び図８は、第１の実施形態の第２の変形例の釣竿１のガイド部材９の竿杆７への取付け構造を示す図である。図７及び図８に示すように、本変形例の板状部材２１は、第１の実施形態と同様に、竿杆７の外周方向を向く第１の面部２２と、竿杆７の内周方向を向く第２の面部２３とを備える。板状部材２１には、第１の面部２２から第２の面部２３まで貫通する貫通孔２５が１つのみ形成されている。
【００３３】
帯状部材３１の第１の端部３２は、第１の実施形態と同様に、巻始め側挟持部３５及び止着部３７により、板状部材２１に固定されている。また、帯状部材３１は、第１の実施形態と同様に、巻始め方向側に第１の端部３２が連続し、板状部材２１を竿杆７の外周方向から内周方向に押圧する巻始め側押圧部４３を備える。
【００３４】
帯状部材３１の第２の端部３３は、帯状部材３１を竿杆７の外周面に巻回した後、貫通孔２５に第２の面部２３側から第１の面部２２側に挿通される。第２の端部３３は、帯状部材３１の他の部分より厚さが厚い厚肉部３９を備える。厚肉部３９により、第１の貫通孔２５より第２の面部２３側への第２の端部３３の移動が規制されている。第２の端部３３及び厚肉部３９の形成については、第１の実施形態と同様である。また、帯状部材３１は、巻終り方向側に第２の端部３３が連続し、板状部材２１の第２の面部２３と竿杆７の外周面との間で挟持される巻終り側挟持部４１を備える。
【００３５】
以上、第２の変形例から、第１の実施形態では、板状部材２１に２つの貫通孔２５、２６が形成されているが、これに限るものではない。すなわち、板状部材２１が第１の面部２２及び第２の面部２３を備え、第１の面部２２から第２の面部２３まで貫通する少なくとも１つの貫通孔２５が形成されていればよい。そして、帯状部材３１を竿杆７の外周面に巻回した後、第２の端部３３が貫通孔２５に第２の面部２３側から第１の面部２２側に挿通され、貫通孔２５より第２の面部２３側への第２の端部３３の移動が規制されていればよい。この場合、第１の面部２２が竿杆７の外周方向を向き、第２の面部２３が竿杆７の内周方向を向いた状態で板状部材２１を配置することにより、巻終り方向側に第２の端部３３が連続し、板状部材２１の第２の面部２３と竿杆７の外周面との間で挟持される巻終り側挟持部４１が、帯状部材３１に形成される。
【００３６】
図９及び図１０は、第１の実施形態の第３の変形例の釣竿１のガイド部材９の竿杆７への取付け構造を示す図である。図９及び図１０に示すように、本変形例では、竿杆７の周方向について板状部材２１の一端に、溝状部５１が設けられている。帯状部材３１の第１の端部３２は、溝状部５１に挿入され、板状部材２１に止着される止着部５２を備える。溝状部５１及び止着部５２により、帯状部材３１の第１の端部３２が板状部材２１に固定される。
【００３７】
以上、第３の変形例より、第１の実施形態では、巻始め側挟持部３５及び止着部３７により、帯状部材３１の第１の端部３２が板状部材２１に固定されているが、これに限るものではない。すなわち、帯状部材３１の第１の端部３２が板状部材２１に固定されていればよい。例えば、第１の実施形態で止着部３７を設けず、板状部材２１の第２の面部２３と竿杆７の外周面との間で挟持される巻始め側挟持部３５のみにより、第１の端部３２が板状部材２１に固定してもよい。
【００３８】
（第２の実施形態）  
次に、本発明の第２の実施形態について図１１及び図１２を参照して説明する。なお、第１の実施形態と同一の部分及び同一の機能を有する部分については同一の符号を付して、その説明は省略する。
【００３９】
図１１及び図１２は、第２の実施形態の釣竿１のガイド部材９の竿杆７への取付け構造を示す図である。図１１及び図１２に示すように、本実施形態の板状部材２１は、竿杆７の周方向について互いに対して反対方向を向く第１の面部２２及び第２の面部２３を備える。板状部材２１には、第１の面部２２から第２の面部２３まで竿杆７の周方向に貫通する貫通孔２５が形成されている。
【００４０】
また、板状部材２１は、貫通孔２５より竿杆７の内周方向側に位置し、竿杆７の外周面に固定される固定部５５と、貫通孔２５より竿杆７の外周方向側に位置し、長手方向について一端を支点として固定部５５に対して開閉可能な可動部５６（図１１の矢印Ｃ）とを備える。長手方向について可動部５６の開閉動作の支点と反対側の端部には、可動部５６と固定部５５との間を係脱可能に係合する係合部５８が設けられている。竿杆７の外周面にガイド部材９が取り付けられた状態では、可動部５６は固定部５５に対して閉じられている。そして、係合部５８により、固定部５５と可動部５６とが係合している。
【００４１】
帯状部材３１の第１の端部３２は、貫通孔２５に第１の面部２２側から第２の面部２３側に挿通されている。また、第１の端部３２は、板状部材２１の固定部５５と可動部５６との間で挟持される巻始め側挟持部６１を備える。巻始め側挟持部６１により、第１の端部３２が板状部材２１に固定されている。
【００４２】
また、帯状部材３１の第２の端部３３は、帯状部材３１が竿杆７の外周面に巻回された後に、貫通孔２５に第２の面部２３側から第１の面部２２側に挿通されている。第２の端部３３は、帯状部材３１の他の部分より厚さが厚い厚肉部３９を備える。また、帯状部材３１は、巻終り方向側に第２の端部３３が連続し、板状部材２１の固定部５５と可動部５６との間で挟持される巻終り側挟持部６２を備える。巻終り側挟持部６２及び厚肉部３９により、第１の貫通孔２５より第２の面部２３側への第２の端部３３の移動が規制されている。
【００４３】
以上のように、第１の端部３２が板状部材２１に固定され、貫通孔２５より第２の面部２３側への第２の端部３３の移動が規制されるため、ガイド部材９の脚部１１を竿杆７の内周方向に押圧する状態で帯状部材３１が保持される。これにより、ガイド部材９を竿杆７に強固に取り付けることができる。
【００４４】
また、第１の端部３２の巻始め側挟持部６１は、板状部材２１の固定部６５を竿杆７の外周方向から内周方向に押圧する巻始め側押圧部となっている。同様に、巻終り側挟持部６２は、板状部材２１の固定部５５を竿杆７の外周方向から内周方向に押圧する巻終り側押圧部となっている。このため、板状部材２１の固定部５５が帯状部材３１により竿杆７の内周方向に押圧され、板状部材２１が竿杆７の外周面に固定される。板状部材２１が固定されることにより、ガイド部材９の脚部１１を竿杆７の内周方向に押圧する状態で帯状部材３１がより強固に保持される。これにより、ガイド部材９を竿杆７により強固に取り付けることができる。
【００４５】
ガイド部材９を竿杆７に取り付ける際には、可動部５６を固定部５５に対して開いた状態で、帯状部材３１の第１の端部３２となる帯状部材準備体３１Ａの一端を板状部材２１の貫通孔２５に第１の面部２２側から第２の面部２３側に挿通する。そして、板状部材２１及び第１の端部３２を手等で保持し、ガイド部材９の脚部１１を覆う状態に、帯状部材準備体３１Ａ（帯状部材３１）を竿杆７の外周面に巻回する。そして、帯状部材準備体３１Ａの他端を、板状部材２１の貫通孔２５に第２の面部２３側から第１の面部２２側に挿通する。
【００４６】
この状態で、可動部５６を固定部５５に対して閉じて、係合部５８により固定部５５と可動部５６との間を係合する。そして、帯状部材準備体３１Ａを加熱した状態で帯状部材３１と切除部３１Ｂとに切断する。これにより、厚肉部３９を備える第２の端部３３が形成される。以上のように、可動部５６が固定部５５に対して開いた状態で第２の端部３３が板状部材２１の貫通孔２５に挿通されるため、第２の端部３３を貫通孔２５に容易に挿通することが可能となる。これにより、ガイド部材９を竿杆７の外周面に取り付ける際の作業性が、向上する。
【００４７】
（第３の実施形態）  
次に、本発明の第３の実施形態について図１３及び図１４を参照して説明する。なお、第１の実施形態と同一の部分及び同一の機能を有する部分については同一の符号を付して、その説明は省略する。
【００４８】
図１３及び図１４は、第３の実施形態の釣竿１のガイド部材９の竿杆７への取付け構造を示す図である。図１３及び図１４に示すように、本実施形態の板状部材２１は、ガイド部材９の脚部１１の外側面上に配置されている。板状部材２１は、竿杆７の内周方向を向く第１の面部２２と、竿杆７の外周方向を向く第２の面部２３とを備える。また、板状部材２１には、第１の面部２２から第２の面部２３まで貫通する第１の貫通孔２５及び第２の貫通孔２６が、竿杆７の周方向に並設されている。
【００４９】
帯状部材３１の第１の端部３２は、第１の貫通孔２５に第１の面部２２側から第２の面部２３側（竿杆７の内周方向から外周方向）に挿通され、第２の貫通孔２６に第２の面部２３側から第１の面部２２側（竿杆７の外周方向から内周方向）に挿通されている。また、第１の端部３２は、板状部材２１の第１の面部２２と竿杆７の外周面との間で挟持される巻始め側挟持部７１を備える。巻始め側挟持部７１により、第１の端部３２が板状部材２１に固定されている。
【００５０】
また、帯状部材３１の第２の端部３３は、帯状部材３１が竿杆７の外周面に巻回された後に、第２の貫通孔２６の第１の面部２２側から第２の面部２３側へ挿通され、第１の貫通孔２５に第２の面部２３側から第１の面部２２側に挿通されている。第２の端部３３は、帯状部材３１の他の部分より厚さが厚い厚肉部３９を備える。また、帯状部材３１は、巻終り方向側に第２の端部３３が連続し、板状部材２１の第１の面部２２と竿杆７の外周面との間で挟持される巻終り側挟持部７２を備える。巻終り側挟持部７２及び厚肉部３９により、第１の貫通孔２５より第２の面部２３側への第２の端部３３の移動が規制されている。
【００５１】
帯状部材３１は、巻始め方向側に第１の端部３２が連続し、板状部材２１を竿杆７の外周方向から内周方向に押圧する巻始め側押圧部７５を備える。また、帯状部材３１は、巻終り方向側に巻終り側挟持部７２が連続し、板状部材２を竿杆７の外周方向から内周方向に押圧する巻終り側押圧部７６を備える。このため、板状部材２１が帯状部材３１により竿杆７の内周方向に押圧され、ガイド部材９の脚部１１の外側面に固定される。また、板状部材２１が竿杆７の内周方向に押圧されることにより、ガイド部材９の脚部１１が竿杆７の内周方向に押圧される。これにより、ガイド部材９の脚部１１が竿杆７の外周面に固定され、ガイド部材９が竿杆７に取り付けられる。
【００５２】
上述ように、帯状部材３１は、第１の端部３２が板状部材２１に固定され、第１の貫通孔２５より第２の面部２３側への第２の端部３３の移動が規制されるため、板状部材２１及びガイド部材９の脚部１１を竿杆７の内周方向に押圧する状態で帯状部材３１が保持される。これにより、ガイド部材９を竿杆７に強固に取り付けることができる。
【００５３】
また、上述のように板状部材２１が固定されることにより、板状部材２１及びガイド部材９の脚部１１を竿杆７の内周方向に押圧する状態で帯状部材３１がより強固に保持される。これにより、ガイド部材９を竿杆７により強固に取り付けることができる。さらに、板状部材２１がガイド部材９の脚部１１の外側面上に配置されるため、ガイド部材９の脚部１１の外側面が帯状部材３１の内周面と接触する場合に比べ、ガイド部材９の脚部１１が竿杆７の内周方向により大きい力で押圧される。このため、ガイド部材９を竿杆７により強固に取り付けることができる。
【００５４】
ガイド部材９を竿杆７に取り付ける際には、ガイド部材９の脚部１１の外側面上に板状部材２１を配置する。そして、帯状部材３１の第１の端部３２となる帯状部材準備体３１Ａの一端を板状部材２１の第１の貫通孔２５に第１の面部２２側から第２の面部２３側に挿通し、第２の貫通孔２６に第２の面部２３側から第１の面部２２側に挿通する。この状態で、板状部材２１及び第１の端部３２を手等で保持し、帯状部材準備体３１Ａ（帯状部材３１）を竿杆７の外周面に巻回する。そして、帯状部材準備体３１Ａの他端を、板状部材２１の第２の貫通孔２６に第１の面部２２側から第２の面部２３側に挿通氏、第１の貫通孔２５に第２の面部２３側から第１の面部２２側に挿通する。そして、帯状部材準備体３１Ａを加熱した状態で帯状部材３１と切除部３１Ｂとに切断する。これにより、厚肉部３９を備える第２の端部３３が形成される。
【００５５】
（第３の実施形態の変形例）  
第３の実施形態では、帯状部材３１の第１の端部３２が、第１の貫通孔２５に第１の面部２２側から第２の面部２３側に挿通され、第２の貫通孔２６に第２の面部２３側から第１の面部２２側に挿通されていて、第２の端部３３が、第２の貫通孔２６に第１の面部２２側から第２の面部２３側へ挿通され、第１の貫通孔２５に第２の面部２３側から第１の面部２２側に挿通されているが、これに限るものではない。すなわち、板状部材２１が、ガイド部材９の外側面上に配置されていればよい。例えば、ガイド部材９の外側面上に、第１の面部２２が竿杆７の外周方向を向き、第２の面部２３が竿杆７の内周方向を向く状態で、板状部材２１が配置されてもよい。この場合、第１の実施形態と同様に、帯状部材３１の第１の端部３２は、第１の貫通孔２５に第１の面部２２側から第２の面部２３側（竿杆７の外周方向から内周方向）に挿通され、帯状部材３１の内周面に止着される。また、帯状部材３１を竿杆７の外周面に巻回された後、第２の端部３３が第２の貫通孔２６に第１の面部２２側から第２の面部２３側に挿通され、第１の貫通孔２５に第２の面部２３側から第１の面部２２側（竿杆７の内周方向から外周方向）に挿通される。
【００５６】
（その他の変形例）  
上述の実施形態では、竿杆７にガイド部材９を取り付ける構造について説明したが、板状部材２１は、第１の面部２２から第２の面部２３まで貫通する貫通孔２５が形成されていればよい。また、帯状部材３１は、第１の端部３２が板状部材２１に固定されていればよい。そして、帯状部材３１を竿杆７の外周面に巻回した後、第２の端部３３が貫通孔２５に第２の面部２３側から第１の面部２２側に挿通され、貫通孔２５より第２の面部２３側への第２の端部３３の移動が規制されていればよい。
【００５７】
また、第１の実施形態では巻始め側押圧部４３及び巻終り側押圧部４５により、第２の実施形態では巻始め側挟持部６１及び巻終り側挟持部６２により、第３の実施形態では巻始め側押圧部７５及び巻終り側押圧部７６により、板状部材２１が竿杆７の外周方向から内周方向に押圧されているが、これに限るものではない。すなわち、帯状部材３１が、竿杆７の外周方向から内周方向に板状部材２１を押圧する押圧部を備えればよい。
【００５８】
また、竿杆７にガイド部材９が移動が規制された状態で保持される構成であれば、合成樹脂層４９を必ずしも設ける必要はない。
【００５９】
さらに、釣竿１では、少なくとも１つのガイド部材９が、上述のように板状部材２１及び帯状部材３１により竿杆７に取り付けられていればよく、他のガイド部材９は例えば糸巻きにより竿杆７に取り付けられてもよい。
【００６０】
以上、本発明の実施形態について説明したが、本発明は上記の実施形態に限定されるものではなく、本発明の要旨を逸脱しない範囲で種々の変形ができることは勿論である。
【符号の説明】
【００６１】
１…釣竿、７…竿杆、９…ガイド部材、１１…脚部、２１…板状部材、２２…第１の面部、２３…第２の面部、２５…第１の貫通孔（貫通孔）、３１…帯状部材、３２…第１の端部、３３…第２の端部。
【図１】
2012029606.tif 000003
【図２】
2012029606.tif 000004
【図３】
2012029606.tif 000005
【図４】
2012029606.tif 000006
【図５】
2012029606.tif 000007
【図６】
2012029606.tif 000008
【図７】
2012029606.tif 000009
【図８】
2012029606.tif 000010
【図９】
2012029606.tif 000011
【図１０】
2012029606.tif 000012
【図１１】
2012029606.tif 000013
【図１２】
2012029606.tif 000014
【図１３】
2012029606.tif 000015
【図１４】
2012029606.tif 000016